Podtech/llm-jp-corpus-v4-ja_patent huggingface dataset:
(57)【要約】【課題】主としてグレ釣りに使用する釣り針にあって、ハリス切れ現象を防止することを目的とするものである。【解決手段】軸の下方から針先に至る全体を円弧状に屈曲させることによって、針先がフトコロ側を向いて突出した形になるように形成するとともに、針先のフトコロ側への突出幅が、フトコロの最大幅部の４分の１以上となるように形成したことを特徴とする釣り針。【選択図】　　　図１
2004089116.tif 000002
【特許請求の範囲】
【請求項１】
軸２の下方部から針先４に至る全体を円弧状に屈曲させることによって、針先４がフトコロ５側に向いて突出した形になるようにするとともに、針先４の突出幅Ａが、フトコロ５の最大幅部Ｂの４分の１以上、半分以下となるように形成し、しかも、釣り針の前部に円弧部６を有するように形成したことを特徴とする釣り針。
【発明の詳細な説明】
【０００１】
【発明が属する技術分野】
この発明は、主として、グレ（メジナ）釣り用の釣り針の改良に関するものである。
【０００２】
【従来の技術】
グレ釣りに使用される釣り針は、軸の上端部にタタキを形成し、軸の下方からからチガシラ（曲がり部の頂点部）に向けて円弧状に屈曲させるとともに、チガシラから針先に向けて直線状に立ち上げ、その立ち上がり部の内側の中程位置にモドリを形成した構成となっているのが普通であり、チモトにハリスを結び付けて使用されるのが一般的である。
【０００３】
【発明が解決しようとする課題】
グレ釣りは、釣り針にオキアミを付け、潮の本流や磯際等の狙い目に投入し、グレのアタリを待って合わせるという方法で行なわれるのであるが、グレのアタリを待って合わせた場合、ほとんどの場合、グレが針全体を飲み込んだ状態になっており、取り込みの際に鋭い歯でハリスを食い切られ、折角かかったグレを取り逃がして仕舞う場合が多いのである。そのようなことを防ぐためには、太めのハリスを使用しなければならないのであるが、太めのハリスを使用すると、グレに警戒心をいだかせ、食いを悪くすることになるのである。
【０００４】
この発明は、グレ釣りに使用する釣り針に関するものであって、グレのアタリがあっても、合わせることなく、竿に魚の重さがのるのを待って竿を立てるという動作だけで、釣り針のフトコロによって、グレの口元を確実に捉え得るようにし、取り込みの際に、鋭い歯がハリスに接触して、ハリス切れをおこすのを防止しようとするものである。
【０００５】
【課題を解決するための手段】
この発明は、グレ釣りに使用する釣り針に関するものであって、軸の下方から針先に至る全体を円弧状に屈曲させることによって、針先がフトコロ側を向いて突出した形になるようにするとともに、針先のフトコロ側への突出幅が、フトコロの最大幅部の４分の１以上となるように形成し、グレに釣り針全体を飲み込まれた状態で針先がエラや内臓に掛るのを防止する一方、グレの引きにより、顎骨が軸に沿ってフトコロ内に落ち込むようにすることによって、釣り針のフトコロでグレの口元を捉え得るようにしようとするものである。
【０００６】
【実施例】
図面にもとづいて、この発明の実施例を説明すると、釣り針本体１は、タタキ７、軸２、先曲がり部８、フトコロ５、並びに針先４からなっており、曲げ加工の際に、軸２の下方から針先４に至る全体を円弧状に屈曲させることによって、針先４がフトコロ５側に向いて突出した形になるようにするとともに、釣り針の前部に円弧部６を形成し、しかも、針先の突出幅Ａが、フトコロ５の最大幅部Ｂの４分の１以上となるように形成した構成となっているのである。
【０００７】
すなわち、釣り針本体１は、所定の長さに切断した線材の一方側端部に先尖加工を、また、他方側端部にタタキ加工を施した後、軸２の下方から針先４にかけて全体を円弧状に屈曲させ、針先４が軸２側に向けてフトコロ５の開口部を４分の１程度閉じ、しかも、釣り針の前部に円弧部６が形成された形となるように曲げ加工を施した後、焼き入れ加工を施すことによって形成されるのである。
【０００８】
【発明の効果】
この発明にかかる釣り針本体１は、上記のような構成となっており、グレのアタリがあっても、合わせることなく、竿に魚の重さがのるのを待って竿を立てるという動作だけで、釣り針のフトコロによってグレの口元を確実に捉え得ることが可能になるのである。それにより、取り込みの際にグレの鋭い歯がハリスに接触して食いちぎられるといったようなことがなく、掛ったグレを確実に取り込め得るとともに、細いハリスの使用が可能になり、釣果の向上を図り得るという利点があるのである。
【００１０】
すなわち、この発明にかかる釣り針は、釣り針本体１の前部に円弧部６が形成されており、しかも、針先４のフトコロ側への曲がり幅が、フトコロ５の最大幅部Ｂの４分の１以上となるように形成した構成となっている結果、グレがオキアミ等の餌を付けた釣り針を飲み込んでも、図２に示すように、円弧部６が食道等の壁部（一点鎖線部）に当って接触た形となり、釣先２が壁部に掛ることなく、口元まで引き出されるとともに、グレの引きによって、顎骨が軸２に沿って下方側（図２の矢印方向からフトコロ５内）に落ち込み、釣り針のフトコロ５でグレの口元を確実に捉え得ることができるのである。それにより、ハリスの結び目は、グレの口より外に位置した格好となり、鋭い歯でハリスを食い切られることがなくなり、釣れたグレを確実に取り込めるという利点があるのである。
なお、針先４のフトコロ側への曲がり幅Ａが、フトコロ５の最大幅部Ｂの半分以下となるようにしたのは、顎骨がフトコロ５側に確実に落ち込むようにするためであって、針先２が半分以上突出しておれば、フトコロ５内に顎骨が入り込むのに障害となり、グレを捉えることが難しくなるためである。
発明者は、この発明にかかる釣り針を使用した実験を行なったのであるが、９０パーセント以上の確率で、グレの口元を捉えた形で掛っていたのである。
【００１１】
また、この発明にかかる釣り針は、その針の構成からして、グレのアタリがあってもも合わせることなく、竿に魚の重さがのるのを待って竿を立ててるとい方法で行なわれるのであるが、それにより、合わせのタイミングに失敗して、魚をバラすというようなこともなくなるのである。
【００１２】
また、従来のような釣り針を使用した場合、グレの鋭い歯に対処するため、太めのハリスを使用する必要があるのであるが、この発明にかかる釣り針にあっては、歯がハリスに接触することがなく、より細いハリスの使用を可能にし、それにより釣果の向上を図り得るとう利点があるのである。
【００１３】
さらに、軸２から針先４に向って全体が円弧状に形成されており、しかも、従来の釣り針のようにモドリを形成する必要もないため、餌を傷めずに長持ちさせることが出来るとともに、餌を付ける際にエスムーズに刺すことができるし、また、チガシラから針先４に向けて全体が円弧状になっている結果、釣り針の曲がり部における全体的な強度を向上させ得るいう利点があるのである。
【図面の簡単な説明】
【図１】釣り針の全体を示す側面部である。
【図２】使用時の状態を示す側面図である。
【符号の説明】
１　釣り針本体
２　軸
４　針先
５　フトコロ
６　円弧部
Ａ　針先４の突出幅
Ｂ　フトコロ５の最大幅部
【図１】
2004089116.tif 000003
【図２】
2004089116.tif 000004
(57)【要約】【課題】生活習慣病の予防に効果的で、かつ、おいしさを充分に発揮できるすし飯の提供を目的とする。【解決手段】玄米又は３から７分づき米を炊飯し、所定割合の梅酢を混ぜ合わせることにより、砂糖を使用せずにすし飯を造った。必要に応じて、発芽玄米、黍、粟、稗、豆類、麦類の中から少なくとも一種以上の穀類を加えて炊飯してもよい。【特許請求の範囲】
【請求項１】
玄米又は３から７分づき米を炊飯し、所定割合の梅酢を混ぜ合わせることにより、砂糖を使用せずに製造したことを特徴とするすし飯。
【請求項２】
玄米又は３から７分づき米に、発芽玄米、黍、粟、稗、豆類、麦類の中から少なくとも一種以上の穀類を加えて炊飯し、これに所定割合の梅酢を混ぜ合わせることにより、砂糖を使用せずに製造したことを特徴とするすし飯。
【発明の詳細な説明】
【０００１】
【発明の属する技術分野】
いわゆる、生活習慣病の予防に効果的なすし飯に関する。
【０００２】
【従来の技術】
すしは、日本人に欠かせない食品の１つである。
従来から、すしは玄米を精米した精白米を炊飯し、これにいわゆる、合わせ酢を混ぜ合わせて造られている。
この合わせ酢は、酢に約２０％もの砂糖が加えられ、後は必要に応じて塩や化学調味料が加えられている。
このようにして造られたすし飯がすしのシャリとして、あるいは、押しずし等として広く使用されている。
【０００３】
一方、現代人の食習慣、運動習慣、喫煙、飲酒等の生活習慣に起因して、糖尿病、肥満、高脂血症、高尿酸血症、循環器病、大腸がん等の病気が発症することがあることから、平成８年厚生省「公衆衛生審議会」にて、従来の成人病に対して、いわゆる生活習慣病なる概念が導入され、その予防活動が推進されている。
【０００４】
生活習慣病の予防には、食習慣のみならず、運動習慣、休養の取り方、喫煙、飲酒等の生活習慣全体に関わるものではあるが、食生活の改善が大きなウエィトを占めていることも事実である。
特に、糖尿病（成人型）、肥満予防に対しては、糖分の取り過ぎは厳禁であり、大腸がん等の予防には食物繊維の摂取が欠かせない。
また、体質改善にアルカリ性食品の摂取が有効的であるといわれている。
【０００５】
【発明が解決しようとする課題】
本発明は、生活習慣病の予防に効果的で、かつ、おいしさを充分に発揮できるすし飯の提供を目的とする。
【０００６】
【課題を解決するための手段】
本発明は、上記目的を達成するために、玄米又は３から７分づき米を炊飯し、所定割合の梅酢を混ぜ合わせることにより、砂糖を使用せずにすし飯を造ったことを特徴とする。
【０００７】
ここで、従来の精白米の替わりに、玄米又は３から７分づき米を用いたのは、精米により玄米中の繊維分が糠として取り除かれるからである。
玄米に含まれる繊維分は、腸内における腐敗菌を減らし、ビフィズス菌等の有用菌を増やす作用があるといわれている。
また、３から７分づき米とは、玄米を１００％とした場合の搗精歩合が９０％のものを精白米といい、その精白度合が中間のものを５分づき米、玄米に近いものを３分づき米、精白米に近いものを７分づき米と称している。
【０００８】
また、本発明において梅酢を使用したのは、梅酢はアルカリ性食品であり、従来、合わせ酢として使用されている砂糖の使用をやめるためである。
ここで梅酢とは、梅を塩漬け等して得られたエキスを用いて造られた酢をいう。
【０００９】
玄米又は３から７分づき米に、さらに食物繊維や玄米等に足りない必須アミノ酸、必須脂肪酸、ビタミン、ミネラル類を加えるには、発芽玄米、黍、粟、稗、豆類、麦類の中から必要に応じて、１種以上の穀類を加えて炊飯するのが良い。
【００１０】
ここで発芽玄米とは、玄米を１〜２日水に浸しておくことで芽がわずかに出たものをいう。
また豆類とは、小豆、黒豆、大豆、緑豆等をいう。
豆類には、ホルモンの原料であるステロール化合物が豊富に含まれている。
麦類とは、大豆、小麦、ハト麦等をいう。
これらの穀類を混ぜて炊飯することにより、食物繊維のみならず、それらに含まれている必須アミノ酸、必須脂肪酸、ビタミン、ミネラル類を合わせて摂取することができる。
また、穀類の混合割合も必要に応じて選定されるが、玄米又は３から７分づき米に対して、約２０％以下におさえるのが食味上好ましい。
【００１１】
【発明の実施の形態】
５分づき米等の未精白米に約１０質量％（以下％と省略する）の他の穀類を混合し、これらと同量弱の水を加えて炊いた。
このとき、必要に応じて約２％の梅酢、又は柿酢、あるいは、ゆず酢等を入れるのが好ましい。
このようにして炊いた飯に、４〜１０％、好ましくは５〜８％位の梅酢又は混合酢を加えてよくかき混ぜてすし飯を造った。
ここで混合酢とは、醸造酢７０〜８０％に対して、梅酢を２０〜３０％混合したものをいい、砂糖が加えられていないものをいう。
このすし飯を用いて押しずしを造る場合にはそのままでもよいが、干柿、くるみ、カボチャの種、松の実、枸杞等を少々混ぜ合わせて、重石をして約１２時間おき、押しずしにするのが良い。
押し力は、すし飯の重量圧の半分の圧力程度がよい。
【００１２】
【発明の効果】
本発明においては、すし飯として従来の精白米の替わりに、玄米又は３から７分づき米を用い、必要に応じて他の穀類を加え、さらに従来の合わせ酢の替わりに梅酢を単独又は醸造酢と混合して用いたので、従来の食味を同等以上に維持しつつ、砂糖の使用を抑え、食物繊維を多く摂取できることになり、生活習慣病の予防に大きく寄与されることが期待される。
また、本発明に係るすし飯は、押しずしの他、すし弁当、おにぎりすし等、各種すし食品に適用できる。
(57)【要約】【課題】力の強い中大型犬の散歩中に接近する人・犬等に噛み付く等の災害を防止する散歩用引き紐を提供する。【解決手段】犬散歩用引き紐（１）の任意の位置に１個〜数個の滑り止め具（２）を装着することを特徴とする。【選択図】　　図１
2004089168.tif 000002
【特許請求の範囲】
【請求項１】
犬散歩用引き紐（１）の任意の位置に１個〜数個の滑り止め具（２）を装着した滑り止め付き犬散歩用引き紐
【発明の詳細な説明】
【０００１】
【発明の属する技術分野】
本発明は、散歩用引き紐を滑り止め付きとした方法に関するものである。
【０００２】
【従来の技術】
従来、犬散歩用引き紐は先端から末端まで、凹凸の無い同一寸法の太さである。
【０００３】
【発明が解決しようとする課題】
これは次のような欠点があった。
大中型の力の強い犬の散歩中、突然相手に危害を加えそうな行動（接近する人・犬等に噛付く等）に出たとき、今までの犬散歩用引き紐では引き紐を強く握っても滑りが止められず犬を手元に引き寄せる事ができない。
【０００４】
【課題を解決するための手段】
犬散歩用引き紐（１）の任意の位置に１個〜数個の滑り止め具（２）を装着する。
本発明は、以上のような構成よりなる滑り止め付き犬散歩用引き紐である。
【０００５】
【発明の実施の形態】
以下、本発明の実施の形態について説明する。
引き紐（１）を使用するときは、散歩中の犬が突然相手に危害を加えそうな行動（接近する人・犬等に噛み付く等）にでた場合に、咄嗟に必要とするどちらかの滑り止め具（２）の場所の引き紐を握ると滑りを止められ、引き紐の長さを確保でき、相手との距離が保たれる為危害を防止できる。
【０００６】
【発明の効果】
本発明品を使用することによって、散歩中に相手が近付いても事前に必要な位置の滑り止めを握ることによって、引き紐の長さを確保する事ができるため、極めて安全な散歩ができる。
【図面の簡単な説明】
【図１】本発明の斜視図
【符号の説明】
１　引き紐
２　滑り止め具
【図１】
2004089168.tif 000003
(57)【要約】【課題】防虫対策・日焼け防止対策により果実の商品的価値を守るための保護袋を被せる作業を簡素化して多品種対応作業効率向上及び労働負担の軽減。【解決手段】保護袋を果実に被せる手段として携帯可能、且つ、簡単な操作で作業可能な機器の発明。小型軽量とし、簡単な操作方法として電動式により結束部の上下を固定し保護袋を結束し保護袋の各種大きさに対応できる位置決め機構を備えた結束器の発明。それにより簡単な操作で移動しながら多品種に応用できる保護袋かけ作業が可能となる。【選択図】　　　　図４
2004089164.tif 000002
【特許請求の範囲】
【請求項１】
小型で主要材質を樹脂等とし携帯可能とした袋結束器。
【請求項２】
開閉式アームにより果実保護袋等を簡易な操作で上下を固定し中央で結束できる結束器。
【請求項３】
可動式結束位置決め装置により袋の大きさに対処できる袋結束器。
【発明の詳細な説明】
【０００１】
【産業上の利用分野】果実の商品価値を守るための方法のひとつである保護用袋を被せる携帯可能で操作簡易な機器である。
【０００２】
【発明の属する技術分野】操作簡易な電動とし携帯自由な軽量・小型とし作業の労働負担軽減及び作業効率向上を図った。
【０００３】果実の品種により使用する袋の大きさに対応できる位置決め装置により使用範囲を多くした。
【０００４】
【従来の技術】果実の防虫・日焼けなどの商品価値を守るために果実に手作業で袋を被せる作業を行っていた。
【０００５】作業は一個一個の果実に手作業で袋を取り付けていたため作業効率が悪く、又、重労働となりがちである。
【０００６】
【発明が解決しようとする課題】手作業によるため効率が悪く、また、作業姿勢の面から長時間作業を行うと重労働となる。
【０００７】その為、作業の効率向上と労働の負担軽減できる装置の開発が求められた。
【０００８】
【課題を解決するための手段】上記課題を解決するために、本発明は電動式による操作の簡易性を図り、且つ、小型軽量により移動安易な機器の発明による作業効率向上と労働の負担軽減を図った。
【０００９】作業効率向上と労働負担軽減を図るため移動作業を可能とした。
【００１０】移動作業を可能とするため小型の部品を採用し樹脂等の軽量材質を使い携帯可能とした。
【００１１】果実の多品種に対応するため袋の大小の対応を可能とした。
【００１２】
【発明の実施の形態】本発明は電動で袋を被せるアームの開閉を可能としたため片手で操作可能となり、又、連続操作可能としたため作業効率の向上が図れるとともに、小型軽量機器であるため作業が簡易となり作業の負担軽減となる。
【００１３】使用部品の小型化及び軽量化により携帯して移動しながら作業可能なため、作業効率が良くなる。
【００１４】結束する個所の上下を▲１▼メインアーム▲３▼サブアームで固定し中央部を結束する機構。
【００１５】小型充電式蓄電池の使用により作業時間中の作動維持を可能とした。
【００１６】▲７▼結束位置決め用可動底板により袋の大小に対応可能とした。
【００１６】以上により、本発明は携帯自由、且つ、簡易操作で果実等へ袋を被せ多品種対応可能な機能を持った電動式結束機器である。
【００１７】
【実施例】使用例として、
【図２】可動前の側面図中の▲７▼結束位置決め用可動底板を使用する袋の大きさに位置決めし、袋を結束する果実の穂梗にメインア
ームを位置づけしてトリガーを引くと
【図３】
【図４】結束可動時の動きとなり果実に保護袋を被せる。
【００１８】
【発明の効果】果実の商品価値の維持作業が簡素化され、従来より労働負担が軽減し多品種に対応でき、且つ作業効率が向上する。
【００１９】労働負担軽減により労働力確保の心配が少なくなる。
【００２０】作業効率向上により作付け面積を広げることができる。
【００２１】多品種の栽培が可能となる。
【図面の簡単な説明】
【図１】結束可動前の上面図。
【図２】結束可動前の側面図。
【図３】結束可動時の上面図。
【図４】結束可動時の側面図。
【符号の説明】
▲１▼　メインアーム
▲２▼　ガイドリブ
▲３▼　サブアーム
▲４▼　サブアーム支点
▲５▼　結束部
▲６▼　結束位置決め用可動底板
▲７▼　ワークホルダー
【図１】
2004089164.tif 000003
【図２】
2004089164.tif 000004
【図３】
2004089164.tif 000005
【図４】
2004089164.tif 000006
(57)【要約】【課題】草刈り作業時に、草刈機用飛散防護カバーがあっても、草類や石類を放射状に飛散させ作業者への飛散を防ぐ事が出来ず、作業上非常に不都合を感じた。【解決手段】草刈り時、放射状に飛散する草や石類を草刈作業者に当たらないように確実に防護する為に、草刈り機の先端に取り付け、内側に比較的硬質のプラスチックと外側に合成ゴムによって形成する二重の円盤状の、前記外側の合成ゴム製円盤の最外周縁を上方に屈曲させる反る返りを設けたことを特徴とする草刈機用飛散防護カバーで解決している。【選択図】図１
2004089169.tif 000002
【特許請求の範囲】
【請求項１】
草刈り時、放射状に飛散する草や石類を草刈作業者に当たらないように確実に防護する為に、草刈機の先端に取り付け、内側に比較的硬質のプラスチックと外側に合成ゴムによって形成する二重の円盤状の、前記外側の合成ゴム製円盤の最外周縁を上方に屈曲させる反り返りを設けたことを特徴とする草刈機用飛散防護カバー。
【発明の詳細な説明】
【０００１】
【発明に属する技術分野】
この発明は、草刈り作業で雑草を刈り取る時、放射状に草や石類の飛散を防ぐ草刈機用飛散防護カバーに関するものである。
【０００２】
【従来の技術】
従来の草刈機に用いる草刈機用飛散防護カバーの形状は、図５に示すように草刈機における本体６の従来の防護材８が設けられたものであり、放射状に飛散する草や石類を防護することが出来なく安全性に欠けている。
【０００３】
【発明が解決しようとする課題】
しかしながら、以上の従来技術によれば、草刈り作業時に草刈機用飛散防護カバーがあっても、草類や石類を放射状に飛散させ作業者への飛散を防ぐ事が出来ず、作業上非常に不都合を感じた。
そこで、この発明は、草類や石類の飛散を解消し作業者への飛散を防ぎ安全な草刈機用飛散防護カバーを提供することを課題とする。
【０００４】
【課題を解決するための手段】
草刈り時に飛散する、草や石類を草刈り作業者に当たらないように確実に防ぐ草刈機用飛散防護カバーを提供するものである。
以上の課題を解決するために、本発明は、草刈機本体の先端に付属する刃物例えばナイロンコードカッターの直上に位置する円盤状の飛散防護カバーを設け、該円盤状カバーが、内側がプラスチックと外側に合成ゴムで型作るの二重の円盤状のカバーであり、円盤の最外周縁が上方に屈曲する飛散防護カバーとしている。
【０００５】
【発明の実施の形態】
発明の実施の形態につて以下図面の実施例に従って詳述する。
図１は、本発明に関わる防護カバーの一実施例であるが、防護材１はプラスチック製とゴム製の材質が一体となり二重の円盤状の防護カバーを構成している。外周縁部に反り返り１−１を設けた形状からなるカバーであり、中心部４に草刈機本体６の先端に装着して、穴３へ結束具２を通して固定する。
【０００６】
図２に示す断面図は、中心部４に草刈機本体６の先端ヘッド５に、防護材１を装着した図であり、ナイロンコードカッター７が高速で回転し草を刈っていき放射状に飛散する草を防護材１により上に飛散することを防止する状態を表している。
【０００７】
図３の使用時の側面図において示されるように、草刈機本体６に装着して使用し、防護材１より草が上に飛散することがない。したがって衣服に草液が付着せず、石類の飛散も防ぎながら、安全に作業をすることが出来ることになる。
【０００８】
図４は本発明の実施例における斜視図であり、中心部５に防護材１を装着し、円盤状の外周部以内が草を切断する範囲の目安になることで、安全になっている。
【０００９】
図５は、従来の草刈機で、従来の防護材８に関しては、草刈機本体６に取り付けた物で、高速で回転するナイロンコードカッター７は、草を放射状に飛散させ従来の防護材で防護するのは、完全に無理な状態であることを図に表している。
【０００９】
【発明の効果】
以上説明したように、この発明によれば、草刈機本体の先端部分に飛散防護カバーを取り付けることにより、作業中の草や石類などの飛散物が無くなり、円盤状の合成ゴム製なので、刈りにくい所にある草なども最外縁を上方に屈曲を設けたことで、合成ゴムが反り返り狭い隙間の所の草刈りも、刈ることが出来き、刈り斑も無い。
【００１０】
また、この草刈機用飛散防護カバーを設けただけで、保護メガネのゴーグルだけを着用して草刈り作業をしても、放射状に飛散する草や草液による被服の汚れや石類による怪我等を常時、確実な状態で防護をする。
多くのメリットを有し、誰にでも最良の草刈り作業が出来て、安全性の高く実用上最高に優れた発明である。
【図面の簡単な説明】
【図１】本発明の一実施例を示す防護カバーの平面図である。
【図２】図１における防護カバーの断面図である。
【図３】草刈機用飛散防護カバー取り付け後使用時の側面図である。
【図４】草刈機用飛散防護カバー取り付け後の斜視図である。
【図５】従来の飛散防護カバー使用時の側面図である
【符号の説明】
１．　　　　防護材
１−１．　　反り返り
２．　　　　結束具
２．　　　　穴
３．　　　　通し穴
４．　　　　草刈機本体の先端ヘッド
６．　　　　草刈機本体
７．　　　　ナイロンコードカッター
８．　　　　従来の防護材
【図１】
2004089169.tif 000003
【図２】
2004089169.tif 000004
【図３】
2004089169.tif 000005
【図４】
2004089169.tif 000006
【図５】
2004089169.tif 000007
(57)【要約】【課題】食味の良い蜂蜜酢の製造方法を提供すること。【解決手段】蜂蜜を水で希釈し、酵母菌及び栄養源として酒粕を加えてアルコール発酵させる。アルコール発酵の過程で２回蜂蜜の希釈液を添加する。アルコール発酵完了後、酢酸菌、蜂蜜の希釈液及び種酢を加えて酢酸発酵させる。これによって出来上った蜂蜜酢にさらに蜂蜜を加え、瀘過する。【特許請求の範囲】
【請求項１】
蜂蜜を水で希釈し、酵母菌を加えてアルコール発酵させ、さらに酢酸菌を加えて酢酸発酵させる食酢の製造方法において、酵母菌によるアルコール発酵時、酢酸菌添加時及び酢酸発酵後にさらに蜂蜜を加えて食味を調整したことを特徴とする、食味の良い蜂蜜酢の製造方法。
【発明の詳細な説明】
【０００１】
【発明の属する技術分野】
本発明は、蜂蜜を原料とする食酢の製造方法に関するものである。
【０００２】
【従来の技術】
従来、蜂蜜以外の原料、例えば米、麦、とうもろこし、さつま芋、りんご、柿等により、酵母菌を加えてアルコール発酵させ、さらに酢酸菌を加えて酢酸発酵させる食酢の製造方法については、公知の方法として行われている。
また、蜂蜜を原料とする、上記の方法による食酢の製造方法については、特開２００２−１７３３６において提案されている。
【０００３】
【発明が解決しようとする課題】
従来、食酢の製造方法として、原料に水と酵母菌を加えてアルコール発酵させ、さらに酢酸菌を加えて酢酸発酵させる食酢の製造方法は、公知の方法として行われているものであり、蜂蜜を原料とする場合も同様に公知の方法として行われている。しかし、蜂蜜を原料として上記の方法により製造した場合、とがった酸味があり、食味が良くなかった。
本発明は、この欠点を解決するためになされたものである。
【０００４】
【課題を解決するための手段】
蜂蜜を水で希釈し、酵母菌及び栄養源として酒粕を加えてアルコール発酵させる。アルコール発酵の過程で２回蜂蜜の希釈液を添加する。アルコール発酵完了後、酢酸菌、蜂蜜の希釈液及び種酢を加えて酢酸発酵させる。これによって出来上った蜂蜜酢にさらに蜂蜜を加え、瀘過する。
【０００５】
【発明の実施の形態】
以下、本発明の実施の形態を説明する。
（イ）蜂蜜を水で希釈し、この中に酵母菌を入れ、栄養源として酒粕を加える。
（ロ）上記によりアルコール発酵が始まるが、この途中で２回に分けて蜂蜜の希釈液を加える。蜂蜜と水の割合は、約１：４重量比である。
（ハ）アルコール発酵終了後（１０日〜１６日後）、酢酸菌、蜂蜜の希釈液及び種酢を加えて酢酸発酵させる。蜂蜜、水、種酢の割合は約１．２：１：２．５重量比である。
（ニ）酢酸発酵が進行し、３０日〜４０日で終了するので、調熟をし、澱を取り除いて蜂蜜酢を得る。しかし、この状態では酸味がとがっていて、食味が良くない。
（ホ）出来た蜂蜜酢に蜂蜜を加えて食味を調整する。蜂蜜酢と蜂蜜の割合は約２：１重量比である。これにより、格段に食味が良くなる。
（ヘ）調整後の蜂蜜酢を瀘過し、出来上りとなる。
【０００６】
上記方法により製造した蜂蜜酢の有機酸分折をしたところ、以下のような有機酸含有比であった。（１００ｍｌ中）
クエン酸０．１ｇ、リンゴ酸０．２２ｇ、コハク酸０．０６ｇ、酢酸２．０２ｇまた、食味もまろやかでとがった酸味がなく、従来の方法に比べて格段に食味が良くなった。
【０００７】
【発明の効果】
本発明の製造方法を使用することにより、滋養に富んだ食味の良い蜂蜜酢が製造できるので、子供から大人まで、飲用や料理用あるいは調味用として喜ばれ、需要の増進が期待される。
(57)【要約】　　　（修正有）【課題】穀物及び植物種子の発芽において、特殊セラミック及び活性炭を使うことにより、発芽時間が短く加水又は流水を行わなくても循環により、発芽臭と細菌の抑えられた発芽ができる装置と製造方法を提供する。【解決手段】消臭セラミック及び殺菌セラミックと活性炭を使い水を循環させることにより、発芽に必要な水が活性化し臭い細菌の増殖と、発芽時間の短縮ができることを特長とする。【選択図】図１
2004089170.tif 000002
【特許請求の範囲】
【請求項１】
穀物及び植物種子の発芽を、一定の水又は温水を使い、消臭効果及び殺菌効果又マイナスイオン発生効果のある、セラミック及び活性炭又は同条件の石の中を通し循環させることによる発芽装置
【請求項２】
穀物及び植物種子を発芽させる際、消臭効果及び殺菌効果並びにマイナスイオン発生効果のある機器を使用しての製造方法
【発明の詳細な説明】
【０００１】
【発明の属する技術分野】
本発明は、穀物及び植物種子の発芽用の水を特殊セラミック及び活性炭又は、同条件の石を通過させることにより発芽臭及び細菌の繁殖を抑えると共に同じ水の循環が可能に成る装置及び製造方法
【０００２】
【従来の技術】
従来の発芽装置においては、発芽臭改善のため新しい水を一定間隔又は、常時加水するか又は流水により行われており、細菌の増殖については、薬品によるか発芽用の水の温度を低くして行っている。
【０００３】
【発明が解決しようとする課題】
従来の発芽装置においての発芽は加水又は流水をしないと、発芽中の水には発芽に適した温度があり、これに養分がいくらか流出するため腐り易く発酵臭が発生すると共に、加水及び流水をすることにより経費もかかっていた。又穀物及び植物種子には細菌が付着しておりこれらが発芽水の温度と養分により急激に増殖するなどの問題点があった。
【０００４】
本発明は、加水又は流水を行わず最初使用した水又は温水を、特殊装置を通し循環させることにより、消臭及び細菌増殖の抑制と発芽に掛かる製造経費の削減ができる、装置と製造方法を提供することを目的としている
【０００５】
【問題を解決するための手段】
上記目的を達成するために、本発明の発芽装置においては発芽に必要な量の水又は温水を、殺菌セラミック及び消臭セラミックと活性炭を入れた容器の中を通し元の発芽容器に戻すこれを繰り返すことにより発芽容器内の水が活性化すると共に、容器に入れたセラミックと活性炭により循環水の消臭及び殺菌が行われるため発酵臭と細菌の抑制ができ、これは同様の性質を持つ石でも可能である。
【０００６】
また、使用する殺菌セラミックはマイナスイオンを放出するため、そのイオン効果で水の粒子が細分化され、穀物及び植物種子への水分の浸透が早まり発芽時間が短縮される。
【０００７】
また、発芽に使用する水又温水は、最初に使用した必要量だけでよく本装置の消臭及び細菌の抑制循環により、途中での加水及び入れ替えは必要としない。
【０００８】
【発明の実施の形態】
以下、本発明の実施例にもとづき図面を参照して説明する。
図１において、発芽容器に洗った穀物又は植物種子を入れる。次に発芽に必要な量の水又は温水を入れる。ポンプを回し矢印の方向に水又は温水を循環させる。別容器のＡ，Ｂ，Ｃには、消臭セラミック、殺菌セラミック、活性炭を入れておく。この方法で発芽するまで循環水を回し続けてもよいし、間欠的に行っても良く、又途中にて必要に応じて加水してもかまわない。
【０００９】
【発明の効果】
本発明は、以上説明したように構成されているので、発芽行程で起こる発芽臭及び細菌の増殖を抑え、発芽時の使用水の節約と発芽時間の短縮による、製造経費の削減につながる効果が期待できます。
【図面の簡単な説明】
【図１】発芽装置の縦断面図である。
【図１】
2004089170.tif 000003
(57)【要約】【課題】界面活性剤を分解するか確認すること適応した倍地を検索し緑色に発光するか確認すること。【解決の手段】実験結果により、界面活性剤を分解する微生物である。【選択図】　なし【特許請求の範囲】
【請求項１】
受託番号
イ）ＦＥＲＭ　Ｐ−１８９８９
【発明の詳細な説明】
【０００１】
【発明の属する技術分野】
特許微生物寄託センターに寄託したものである。
【０００２】
【従来の技術】
界面活性剤を分解する菌が発見されていない。
【０００３】
【発明が解決しようとする課題】
細菌をＤＮＡ、ＲＮＡ等遺伝子配列、塩基配列によって問題を解決する。
【０００４】
【課題を解決する為の手段】
本発明は界面活性剤分解するかを確認する。
【０００５】
【発明の実態の形態】
本発明は、界面活性剤を分解する細菌であるかゲノム解析にて確認する。
【０００６】
【実施例】
以下本発明をさらに詳細に説明する。
本発明の実施例においては、他の研究機関の装置を利用し、実験の結果に基づくものである。
【受託証】
独立行政法人　産業技術総合研究所
特許生物寄託センター
郵便番号　３０５−８５６６
住　　所　茨城県つくば市東１丁目１番１　中央第６
【受託番号】
１　ＦＥＲＭ　Ｐ−１８９８９
(57)【要約】【課題】適応した倍地を検索し緑色に発光するか確認すること。【解決の手段】実験結果により、緑色に発光する微生物である。【選択図】　なし【特許請求の範囲】
【請求項１】
受託番号
イ）ＦＥＲＭ　Ｐ−１８９７４
ロ）ＦＥＲＭ　Ｐ−１８９７５
【発明の詳細な説明】
【０００１】
【発明の属する技術分野】
特許微生物寄託センターに寄託したものである。
【０００２】
【従来の技術】
緑色に発光する菌が発見されていない。
【０００３】
【発明が解決しようとする課題】
発光細菌をＤＮＡ、ＲＮＡ等遺伝子配列、塩基配列によって問題を解決する。
【０００４】
【課題を解決する為の手段】
本発明は緑色に発光するかを確認する。
【０００５】
【発明の実態の形態】
本発明は、発光細菌であるかゲノム解析にて確認する。
【０００６】
【実施例】
以下本発明をさらに詳細に説明する。
本発明の実施例においては、他の研究機関の装置を利用し、実験の結果に基づくものである。
【受託証】
独立行政法人　産業技術総合研究所
特許生物寄託センター
郵便番号　３０５−８５６６
住　　所　茨城県つくば市東１丁目１番１　中央第６
【受託番号】
１　ＦＥＲＭ　Ｐ−１８９７４
２　ＦＥＲＭ　Ｐ−１８９７５
(57)【要約】　　　（修正有）【課題】足の裏をマッサージするために効果のあるローラー型・板型の器具を設置・使用することで、座った状態で簡単に足のつぼ等を刺激し手軽に疲労回復・ストレス解消をすることができるようにする。【解決手段】ローラー型の器具２，３をローラー軸４・ローラー軸受け５を介して底板６に固定する。椅子などに座った状態で、ローラー型の器具２，３に足の裏等を転がすようにつけ動かすことでマッサージする。突起が痛い場合には突起なしのローラー型の器具８，９を付け替えて使用する。さらに大きな刺激が必要な場合は、底板６に固定した縦板１の上部に足の裏等をこすりつけるようにしてマッサージする。【選択図】　図４
2004089688.tif 000002
【特許請求の範囲】
【請求項１】
机の下の床や休憩所の椅子の前などに簡単に設置・使用できる足の裏のマッサージ機
【発明の詳細な説明】
【０００１】
【発明の属する技術分野】
この発明は，足の裏をマッサージするために、ローラー型（２）（３）・板型（１）の器具を設置・使用することで、足のつぼを刺激し疲労回復・ストレス解消をすることを図ったものである。
【０００２】
【従来の技術】
従来の竹ふみ型の足のつぼマッサージ機は、その上に立った状態で使用することでより高い効果が得られる。従って気軽に使用できるが、座った状態ではあまり高い効果が得られなかった。また、モーター等によるバイブレーションを用いて足のつぼを刺激するマッサージ機は大がかりなものになり、机の下等に設置することが困難である。
【０００３】
【発明が解決しようとする課題】
従来の足の裏マッサージ機にはつぎのような欠点があった。
（イ）竹ふみ型のものは、座った状態での効果が半減する。また、全体重がかかるため痛みが大きい。
（ロ）モーター等のバイブレーションを利用するものは大がかりなものになり机の下等の狭い場所に設置することが困難である。
本発明は，以上のような欠点をなくすためになされたものである。
【０００４】
【課題を解決するための手段】
ローラー型の器具（２）（３）に足の裏を転がすようにして使用する。
さらに強い刺激が必要な場合は、底板（６）に縦板（１）を固定した器具に、足の裏をこすりつけるようにして使用する。
【０００５】
【発明実施の形態】
以下，本発明の実施の形態について説明する。
ローラー型の器具（２）（３）をローラー軸（４）・ローラー軸受け（５）を介して底板（６）に固定する。椅子などに座った状態で、これに足の裏等を転がすようにつけ動かすことでマッサージする。突起の刺激が強すぎる場合には突起なしのローラー型の器具（８）（９）を付け替えて使用する。大きな刺激が必要な場合は、底板（６）に固定した縦板（１）の上部に足の裏等をこすりつけるようにしてマッサージする。
本発明は以上のような構造で、座った状態においても高いマッサージ効果が得られる。
【０００６】
【発明の効果】
デスクワーク等において、座った状態で仕事をしながらも簡単に足をマッサージすることが出来る。座った状態で使用するので力の加減を簡単にすることが可能で、痛みが少ない。足を意識的に動かしマッサージすることで血行がよくなる。電源を必要としないので設置が簡単である。構造が簡単である。
現代社会では椅子等に座ることが極めておおいので、疲労やストレス解消に本発明は重要な役割を果たすものと思われる。特にコンピュータ等のデスクワーク、温泉やホテル・病院の待合室、汽車や航空機の座席等において大きな効果が得られるものと思われる。
【図面の簡単な説明】
【図１】机の下に設置して使用した図
【図２】マッサージ機の斜視図
【図３】マッサージ機の側面図と使用図
【図４】マッサージ機の分解斜視図
【符号の説明】
１　縦板
２　突起付のローラー（右足用）
３　突起付のローラー（左足用）
４　ローラー軸
５　ローラー軸受け
６　底板
７　滑り止めゴム板
８　突起なしローラー（右足用）
９　突起なしローラー（左足用）
【図１】
2004089688.tif 000003
【図２】
2004089688.tif 000004
【図３】
2004089688.tif 000005
【図４】
2004089688.tif 000006
(57)【要約】　　　（修正有）【課題】バッグや携帯電話等携帯物などの置き場が無いような時、テーブルに簡便に、即座に吊り下げることが出来る折り畳み式携帯バッグハンガーを提供する。【解決手段】レストラン内において、携帯物の置き場所が無くて困るとき、二つ折りになっている板状のハンガー部を３５度から９０度前後開き、一方の板面１をテーブルに引っ掛け、一方の板面２の端にリングやフックを取付け、そこにバッグや携帯電話他携帯物を吊り下げることで解決する。普段、折り畳み式小携帯バッグハンガーは二つ折りにしてバッグの手提げ部や肩掛け部、又は、携帯電話のストラップにアクセサリーとして付けておくこともでき、又は、バッグにしまっておくこともできる。【選択図】図４
2004089663.tif 000002
【特許請求の範囲】
【請求項１】
金属、天然・合成樹脂、ゴムあるいは、木材を材料とする。バッグ、セカンドバッグ、ポケットに入る大きさの長方形や変形の薄い板２枚を重ね、２枚の板の一端に接続部をもつ。その接続部により、２枚の板は重ねた状態から３５度から９０度前後まで開いて保たれる構造になることを特徴とする。
【請求項２】
３５度から９０度前後に開いた板の一方をテーブルか棚に掛け、もう一方の板を床に向け下げる。下げた板の端にフックかリングをつけ、バッグや携帯電話他携帯物を吊り下げる構造になることを特徴とする。
【請求項３】
テーブル等に掛ける側の板面の、テーブル等との接触部分には、掛けておく状態を安定させるために、摩擦材として、ゴムや天然・合成樹脂等の摩擦の大きな素材を貼り付けるか、本体をそのような素材で製造することを特徴とする。
【請求項４】
折り畳み式携帯バッグハンガーは、折り畳んだ状態で、バッグや携帯電話ストラップ他携帯物にアクセサリーやキーホルダーとしてぶらさげて携帯することもできることを特徴とする。この特徴により、テーブル等があれば、バッグ等の中から探しださなくても、荷物にぶら下げてある折り畳み式ハンガーを開くだけで、簡便に、即座にバッグや携帯電話等携帯物をテーブルに吊りさげることができる。
【発明の詳細な説明】
【０００１】
〔発明の属する技術分野〕
この発明は、テーブルや棚にバッグや携帯電話等の携帯物を掛けておくことができる携帯用ハンガーに関するものである
【０００２】
〔従来の技術〕
【０００３】
〔発明が解決しようとする課題〕
レストランのテーブルなどで、スペースが無い為にバッグや携帯電話等の携帯物の置き場に困ることがある。この発明は、テーブルなどの上に荷物を置かずに、身近に荷物を置いておきたいという課題を解決する為になされたもので、バッグ等にアクセサリーとして折り畳めて携帯でき、安価で壊れにくく、取扱いも簡単で、使いたい時に器具を探すことなく簡便に、即座に使える簡易ハンガーを得ることを目的にするものである。
【０００４】
〔課題を解決する為の手段〕
この発明にかかる折り畳み式携帯バッグハンガーは、金属、天然・合成樹脂、ゴム、木材等で形成した、開閉できる二つ折りに重なった板状のハンガー部から成り、アクセサリーとしてバッグ等に付帯した二つ折りした板を３５度から９０度前後に広げ、一方の板をテーブルに引っ掛け、一方の板の先端にあるリングまたはフックにバッグ等携帯物を吊り下げるようにしたものである。
【０００５】
〔発明の実施の形態〕
以下、添付図面に従って、実施形態を説明する。図１ないし図５に示すこの発明の折り畳み式携帯バッグハンガーは、厚さ１〜１０ｍｍ、長さ５〜１５ｃｍ程度の、金属、天然・合成樹脂、ゴム、木材、等で形成された、開閉できる二つ折りに重なった板状のものである。図１は形状の異なる板の形の例を示す。図２、図３は二つ折りになった板を閉じている構造を示す。図４、図５は二つ折りになった板を開いている構造を示す。各図において１は、棚に引っ掛ける一方の板を示し、各図において２は、端のリングまたはフックにバッグ等携帯物をぶら下げるもう一方の板を示す。各図において３は、２枚の板をつなぐ接続部を示し、各図において４は棚に引っ掛ける板の棚との接触面に、摩擦抵抗を大きくするために摩擦材（ゴム、樹脂等）が使われる構造を示す。
【０００６】
上記のように構成された折り畳み式携帯バッグハンガーは、テーブル下に荷物の置き場所の無いレストラン等のテーブルにおいて、簡便に、即座に携帯品を吊り下げるために使用される。従って、バッグ等貴重品荷物などを、テーブルや椅子等のスペースを取ることなく身近に常に携帯しておきたい場合に効力を発揮する。
【０００７】
〔発明の効果〕
この発明の折り畳み式携帯バッグハンガーは以上説明したように構成されているので、以下に記載されるような効果を奏する。
【０００８】
小型で折り畳みできる特性から、バッグや携帯電話ストラップにアクセサリーとしてぶらさげて携帯できる。あるいは、バッグにしまって持ち歩くこともできる。この特性から、バッグ等の置き場所が無い時、いつでも簡便に、即座に荷物をテーブルに吊るして身近に保持できる。
【図面の簡単な説明】
【図１】折り畳み式携帯バッグハンガーの板面の形状の例を示す正面図である。
【図２】折り畳み式携帯バッグハンガーの閉時を示す側面図である。
【図３】折り畳み式携帯バッグハンガーの閉時を示す斜視図である。
【図４】折り畳み式携帯バッグハンガーの開時を示す側面図である。
【図５】折り畳み式携帯バッグハンガーの開時を示す斜視図である。
【符号の説明】
１　棚に引っ掛ける一方の板
２　端のリングまたはフックにバッグ等携帯物をぶら下げるもう一方の板
３　２枚の板をつなぐ接続部
４　棚に引っ掛ける板の、棚との接触面に使われる摩擦材（ゴム、樹脂等）
【図１】
2004089663.tif 000003
【図２】
2004089663.tif 000004
【図３】
2004089663.tif 000005
【図４】
2004089663.tif 000006
【図５】
2004089663.tif 000007
(57)【要約】【課題】犬の肌を痛めずに、抜け毛を効率的に捕らえる事を得る。【解決手段】等間隔に内側に相対して湾曲した棒６が、対向する二本の棒６の中間に位置するようにして、枠１に取り付け、棒６の先端に斜平面を設ける。【選択図】　図２
2004089661.tif 000002
【特許請求の範囲】
【請求項１】
略長方形の枠（１）の長辺（２）、（３）の両端を、各々、接続板（４）、（５）と接続し、長辺（２）、（３）の下部側に、湾曲した棒（６）を設け、枠（１）の上部側に蓋（７）を取り付けたペット用櫛。
【請求項２】
長辺（２）、（３）の下部側に、等間隔に設けた複数本の棒（６）が枠（１）の下方に向かって、互いに相対する各々の棒（６）の中間に位置するようにして内側に湾曲させ、棒（６）の先端に斜平面（８）を設け、該斜平面（８）の周囲（９）を刃形状とし、先端部分（１０）は先細りとし、元部分（１１）は略半楕円形とし、突端部（１３）は、やや丸みを帯びた形状とし、相対する突端部（１３）は相互間に一定の間隔を保って位置するようにし、相対する棒（６）の先端の底部（１２）が同一線上に位置するようにして設けた請求項１記載のペット用櫛。
【請求項３】
斜平面（８）を凹状とした請求項１及び２記載のペット用櫛
【発明の詳細な説明】
【０００１】
【発明の属する技術分野】
本発明は、ペットの抜け毛を効率的にすき取って整髪を効果的に行う器具に関するものである。
【０００２】
【従来の技術】
従来、ペットの抜け毛を処理する器具としては、櫛、又は、ブラシのように刃の部分が直線的な形状をしている道具の域をでるものが、普及しているものとしては見当たらず、効率的に抜け毛を除去することが難しい面があった。
【０００３】
【発明が解決しようとする課題】
本発明は、前述のような問題点に鑑みて成されたものであり、ペットの抜け毛が刃先からずれ落ちないように抜け毛を効率的に捕らえ、捕らえた抜け毛の一定量を収納することができ、且つ、毛並みに沿って滑らかに移動することができる器具を提供する事を目的としている。
【０００４】
【課題を解決するための手段】
上記の目的を達成するために、略長方形の枠の長辺の両端を、各々、接続板と接続し、長辺の下部側に、湾曲した棒を設け、枠の上部側に蓋を取り付けて成るものである。
【０００５】
上記の棒の湾曲した形状と、斜平面の周囲を鋭い刃形状にすることによってペットの抜け毛を捕らえて収納する事が可能となる。即ち、斜平面の先端の先細り部分に引っ掛けられた抜け毛は、斜平面の周辺の刃形の形状によって左右にずれないように捕らえられ、徐々に湾曲部を上昇して集められる。
【０００６】
又、棒を適切な一定間隔で配置したり、相対する棒の突端部を適度な間隔で位置させる事が効果的である。
【０００７】
更に、相対する棒の先端部の底部が同一線上に位置するようにして、突端部は尖らせずに、やや丸みを帯びたように加工するとよい。このことによって、本器具の使用中に突端部がペットの肌に刺さらないようにすることが可能となる。
【０００８】
そして、斜平面を凹状に形成すれば、より安定して斜平面の刃形状の周辺によって抜け毛を捕らえることができる。
【０００９】
棒、枠、及び蓋の材料は金属製のものを使用する他、プラスチックを使用することも可能である。
【００１０】
【発明の実施の形態】
発明の実施の形態を実施例にもとづき図面を参照して説明する。
【００１１】
図１において、枠１は、長辺２、３の各々の両端に接続板４、５を溶接によって接続して形成され、長辺２、３に一定間隔を置いて取り付けられた棒６は、各々、相対する２本の棒６の中間に位置するように設けられている。
【００１２】
図２においては、蓋７の一端は蝶番１４によって接続板４に取り付けられ、蓋７の他の一端は留め金具１５によって接続板５に取り付けられている。
【００１３】
図３において、棒６の元の部分は、長辺２、３の下側に嵌め込まれて溶着部１６に溶接されている。接続板４、５は、湾曲した相対する棒６の作る空間から収納された抜け毛が、はみ出さないように設けられている。
【００１４】
図４（ａ）、（ｂ）においては、斜平面８の形状及び突端部１３の、やや丸みを帯びた形状を示している。
【００１５】
図５（ａ）、（ｂ）に示される実施例では、図４（ａ）、（ｂ）に示した斜平面８を凹状に形成した事を示している。
【００１６】
【発明の効果】
本発明は、以上説明したように構成されているので以下のような効果を得ることができる。
【００１７】
ペットの毛並みに沿って本器具を移動させると、棒の先端の斜平面、斜平面の周囲、突端部及び底部の形状及び位置関係によって、安定した状態でペットの肌に棒の先端が刺さらないようにして抜け毛を捕らえる事ができる。
【００１８】
棒の湾曲部に相当量の抜け毛が絡み込まれてきた際に、棒の外側にはみ出している抜け毛を湾曲部の外側に沿って、平板等を用いて棒の先端までしごきあげて棒からはずし、上部の空間に押し込むと、新たに抜け毛取りを行う事が可能となる。そして、一定量が収納されたら、蓋を開いて取り出す事ができる。
【図面の簡単な説明】
【図１】ペット用櫛の要部平面図である。
【図２】ペット用櫛の側面図である。
【図３】ペット用櫛の要部横断面図である。
【図４】棒の実施例を示す縦断面図（ａ）及び正面図（ｂ）である。
【図５】棒の実施例を示す縦断面図（ａ）及び要部横断面図（ｂ）である。
【符号の説明】
１　　枠
２、３　長辺
４、５　接続板
６　　棒
７　　蓋
８　　斜平面
９　　斜平面の周辺
１０　　斜平面の先端部分
１１　　斜平面の元部分
１２　　底部
１３　　突端部
１４　　蝶番
１５　　留め金具
１６　　溶着部
【図１】
2004089661.tif 000003
【図２】
2004089661.tif 000004
【図３】
2004089661.tif 000005
【図４】
2004089661.tif 000006
【図５】
2004089661.tif 000007
(57)【要約】【課題】エンジンや温水ボイラー等を搭載したビル外壁等の洗浄専用車において、内部の発生熱で外面が高温になるのを防ぎ火傷に対する安全を図る。またエンジン音の騒音対策をするとともに、内部の空気振動を軽減し機器の故障を予防する。【解決手段】（イ）高圧の温水を外部に噴射させるに必要な装置を搭載した自動車において、該搭載室の内面に断熱加工を施す。（ロ）イに記載の洗浄専用車の搭載室の内面に、防吸音加工を施す。（ハ）ビル外壁清掃などを目的としたゴンドラに、高圧の温水を外部に噴出させるに必要な装置を内装し、洗浄専用のゴンドラとする。【特許請求の範囲】
【請求項１】
高圧の温水を外部に噴射させるに必要な装置を搭載した自動車において、該搭載室の内面に断熱加工を施したことを特徴とする洗浄専用車。
【請求項２】
搭載室の内面に、防吸音加工を施したことを特徴とする請求項１に記載の洗浄専用車。
【請求項３】
高圧水を外部に噴出させるに必要な装置を内装したことを特徴とするゴンドラ。
【発明の詳細な説明】
【０００１】
【発明の属する技術分野】
ビル外壁などの洗浄に使用する自動車およびゴンドラに関する。
【０００２】
【従来の技術】
（イ）閉鎖した搭載室にコンプレッサーや温水ボイラーなどを搭載した洗浄車は、装置から発せする熱により外面まで高温となり、触ると危険なほど高温となる場合がある。（ロ）また、装置から発生するエンジン音などが室内の空気を振動させることは、機器への障害をもたらすことがある。（ハ）またゴンドラを使用しての洗浄作業は、在来のゴンドラに機器を積み込む事により準備態勢に入るものであり、作業時間の効率が悪い。
【０００３】
【発明が解決しようとする課題】
本発明はこれらの問題を解決するもので、次のことを課題とする。（イ）機器搭載室内部の熱が外面に伝わるのを抑える。（ロ）機器搭載室内部で発生するエンジン音などが外部へ漏れるのを抑える、また内部の空気を振動させるのを軽減する。（ハ）ゴンドラに、洗浄に必要な機器を内装一体化して、洗浄専用のゴンドラとする。
【０００４】
【課題を解決するための手段】
請求項１対応。高圧の温水を外部に噴射させるに必要な装置を搭載した自動車において、該搭載室の内面に断熱加工を施す。
【０００５】
請求項２対応。請求項１に記載の洗浄専用車の搭載室の内面に、防吸音加工を施す。
【０００６】
請求項３対応。ゴンドラに高圧の温水を外部に噴出させるに必要な装置を内装し、ビル外壁清掃などを目的とした洗浄専用のゴンドラとする。
【０００７】
【発明の実施の形態】
ビル外壁等の洗浄専用車において、機器搭載室の内面に断熱加工を施し、発電機やボイラーで発生する高熱が外表面に伝わるのを抑える。この目的は、車外の作業員その他の人が外面の熱による火傷の危険を防ぐものであり、安全上重要なものである。なお「断熱加工」とは、表面へのコーティングや貼り付けなどの方法で行う。
【０００８】
搭載室に装備する機器の主なものとしては、水タンク、温水をつくるボイラー、送水ポンプ、加圧ポンプ、発電機、ホースとリール、水のリサイクル装置、操作盤その他関連機器である。
【０００９】
また搭載室の内部は、高熱と同時に発電機エンジン音による振動も激しい。これは、搭載室の内外で騒音苦が生じるばかりでなく、空気振動による機器の損傷の原因ともなるので、内部の壁面や天井、床等に防吸音効果を持つ資材を貼り付ける。
【００１０】
洗浄機搭載の洗浄専用のゴンドラについて説明する。搭載する機器は、給水部、高圧コンプレッサー、飛散防止機能を持つロータリーノズル、噴射水の吸排水部などである。
【００１１】
【発明の効果】
請求項１に対して。発電機のエンジンなどで発生する熱の車外への伝導を低減し、高熱になるのを防止する。このため、外での作業員や通行人等が触れたときの火傷の危険がなく安全に寄与する。
【００１２】
請求項２に対して。機器による騒音を外部に漏らさない。また音による空気振動を抑えて機器の故障を予防する。
【００１３】
請求項３に対して。洗浄専用のゴンドラを構成することにより作業の準備時間を短縮すると共に、作業の操作性を高めて時間効率が向上する。